(57)【要約】【課題】  写真類を適切に保持できると共に、写真類の取替えを容易に実施できること。【解決手段】  写真類を立設して保持する写真立て１０において、透視部１５を備えた本体１１と、この本体の透視部の後面１７Ａに写真類を押し当てて保持する押え板１２と、この押え板に押え力を付与する板ばね１３とを有し、この板ばねが、本体を起立状態に保持するスタンド１４に設けられ、本体は、透視部及び枠部１８を含めた全体が透明材料にて構成され、本体の前面１６が平坦面に形成され、本体の後面１７には透視部の外周に溝１９が形成され、この溝に押え板が係止されるものである。【選択図】            図２
2005261727.tif 000002
【特許請求の範囲】
【請求項１】
写真類を立設して保持する写真立てにおいて、
透視部を備えた本体と、
この本体の上記透視部の後面に写真類を押し当てて保持する押え板と、
この押え板に押え力を付与する押え力付与手段と、を有することを特徴とする写真立て。
【請求項２】
写真類を立設して保持する写真立てにおいて、
透視部を備えた本体と、
この本体の上記透視部の後面に写真類を押し当てて保持する押え板とを有し、
上記本体の後面で上記透視部の外側に溝が形成され、この溝に上記押え板が係止されることを特徴とする写真立て。
【請求項３】
写真類を立設して保持する写真立てにおいて、
透視部を備えた本体と、
この本体の上記透視部の後面に写真類を押し当てて保持する押え板とを有し、
上記本体の後面は、上記透視部が他の部分に比べて凸または凹形状に形成され、この凸または凹形状により上記本体の後面に形成された段差部に押え板が係止されることを特徴とする写真立て。
【請求項４】
上記本体はスタンドの支持部により起立状態に保持され、このスタンドに押え力付与手段が設けられたことを特徴とする請求項1に記載の写真立て。
【請求項５】
上記本体はスタンドの本体係止部に係止され、上記スタンドに設けられた押え力付与手段と上記本体係止部とにより後方へ傾斜して起立状態に保持されることを特徴とする請求項1に記載の写真立て。
【請求項６】
上記本体は、透視部を含めた全体が透明材料にて構成され、前面が平坦面に形成されたことを特徴とする請求項1乃至５のいずれかに記載の写真立て。
【請求項７】
上記本体の後面には透視部の外側に溝が形成され、この溝に押え板が係止されることを特徴とする請求項１、４乃至６のいずれかに記載の写真立て。
【請求項８】
上記本体の後面は、透視部が他の部分に比べて凸または凹形状に形成され、この凸または凹形状により上記本体の後面に形成された段差部に押え板が係止されることを特徴とする請求項１、４乃至６のいずれかに記載の写真立て。
【請求項９】
上記本体の溝が梨地面に形成されたことを特徴とする請求項２または７に記載の写真立て。
【請求項１０】
押え板には、対向する２辺または４辺に、本体に係止する係止部が設けられたことを特徴とする請求項２、３、７乃至９のいずれかに記載の写真立て。
【請求項１１】
上記押え板には、写真類を位置決めする写真位置決め手段が設けられたことを特徴とする請求項１乃至１０のいずれかに記載の写真立て。
【請求項１２】
上記写真位置決め手段は、押え板の略中央に形成された開口と、上記押え板の外面で上記開口を覆う位置に接着可能なシート状部材と、を有してなることを特徴とする請求項１１に記載の写真立て。
【発明の詳細な説明】
【技術分野】
【０００１】
本発明は写真立てに関する。
【背景技術】
【０００２】
写真類を立設して保持する従来の写真立てには、特許文献１に記載の写真立てのように、写真類を挟んで保持する２枚の透明板状材を、スタンドの溝に嵌入して立設するものが知られている（第１背景技術）。
【０００３】
また、従来の他の写真立てには、２枚の透明板状材が所定の隙間を隔ててスタンドに立設して固着され、これらの板状材間に写真類を挿入して保持するものもある（第２背景技術）。
【０００４】
【特許文献１】実用新案登録第３００９２３５号公報
【発明の開示】
【発明が解決しようとする課題】
【０００５】
ところが、上記第１背景技術では、写真類を保持する透明板状材がスタンドの溝に嵌入されるものであるため、写真類の取替えは容易に実施できるものの、透明板状材がスタンドの溝から外れ易く、写真類を適切に保持できない場合がある。
【０００６】
また、第２背景技術では、写真類を保持する２枚の透明板状材がスタンドに固着されているため、写真類を適切に保持できるものの、これら２枚の透明板状材間に挿入された写真類の取替えが容易でない。また、透明板状材間に塵埃がたまっても、これを良好に除去できない。
【０００７】
本発明の目的は、上述の事情を考慮してなされたものであり、写真類を適切に保持できると共に、写真類の取替えを容易に実施できる写真立てを提供することにある。
【課題を解決するための手段】
【０００８】
請求項１に記載の発明は、写真類を立設して保持する写真立てにおいて、透視部を備えた本体と、この本体の上記透視部の後面に写真類を押し当てて保持する押え板と、この押え板に押え力を付与する押え力付与手段と、を有することを特徴とするものである。
【０００９】
請求項２に記載の発明は、写真類を立設して保持する写真立てにおいて、透視部を備えた本体と、この本体の上記透視部の後面に写真類を押し当てて保持する押え板とを有し、上記本体の後面で上記透視部の外側に溝が形成され、この溝に上記押え板が係止されることを特徴とするものである。
【００１０】
請求項３に記載の発明は、写真類を立設して保持する写真立てにおいて、透視部を備えた本体と、この本体の上記透視部の後面に写真類を押し当てて保持する押え板とを有し、上記本体の後面は、上記透視部が他の部分に比べて凸または凹形状に形成され、この凸または凹形状により上記本体の後面に形成された段差部に押え板が係止されることを特徴とするものである。
【００１１】
請求項４に記載の発明は、請求項1に記載の発明において、上記本体はスタンドの支持部により起立状態に保持され、このスタンドに押え力付与手段が設けられたことを特徴とするものである。
【００１２】
請求項５に記載の発明は、請求項1に記載の発明において、上記本体はスタンドの本体係止部に係止され、上記スタンドに設けられた押え力付与手段と上記本体係止部とにより後方へ傾斜して起立状態に保持されることを特徴とするものである。
【００１３】
請求項６に記載の発明は、請求項1乃至５のいずれかに記載の発明において、上記本体は、透視部を含めた全体が透明材料にて構成され、前面が平坦面に形成されたことを特徴とするものである。
【００１４】
請求項７に記載の発明は、請求項１、４乃至６のいずれかに記載の発明において、上記本体の後面には透視部の外側に溝が形成され、この溝に押え板が係止されることを特徴とするものである。
【００１５】
請求項８に記載の発明は、請求項１、４乃至６のいずれかに記載の発明において、上記本体の後面は、透視部が他の部分に比べて凸または凹形状に形成され、この凸または凹形状により上記本体の後面に形成された段差部に押え板が係止されることを特徴とするものである。
【００１６】
請求項９に記載の発明は、請求項２または７に記載の発明において、上記本体の溝が梨地面に形成されたことを特徴とするものである。
【００１７】
請求項１０に記載の発明は、請求項２、３、７乃至９のいずれかに記載の発明において、押え板には、対向する２辺または４辺に、本体に係止する係止部が設けられたことを特徴とするものである。
【００１８】
請求項１１に記載の発明は、請求項１乃至１０のいずれかに記載の発明において、上記押え板には、写真類を位置決めする写真位置決め手段が設けられたことを特徴とするものである。
【００１９】
請求項１２に記載の発明は、請求項１１に記載の発明において、上記写真位置決め手段は、押え板の略中央に形成された開口と、上記押え板の外面で上記開口を覆う位置に接着可能なシート状部材と、を有してなることを特徴とするものである。
【発明の効果】
【００２０】
請求項１または４に記載の発明によれば、押え力付与手段が押え板に押え力を付与することにより、この押え板が写真類を本体の透視部の後面に押し当てて保持することから、当該写真類を適切に保持できる。
【００２１】
また、押え力付与手段が押え板に付与する押え力の解除により、写真類は本体の透視部の後面に押し当てられなくなり、この後面から離れるので、押え力付与手段による押え力の付与または解除によって写真類の取替えを容易に実施でき、しかも、本体と押え板間にたまった塵埃も容易に除去できる。
【００２２】
請求項２、７に記載の発明によれば、本体の後面には透視部の外側に溝が形成され、この溝に押え板が係止されることことから、この係止によって押え板が本体に対しずれることを防止できる。
【００２３】
請求項３、８に記載の発明によれば、本体の透視部の後面が他の部分に比べて凸または凹形状に形成され、この凸または凹形状により本体の後面に形成された段差部に押え板が係止されることから、この係止によって押え板が本体に対しずれることを防止できる。
【００２４】
請求項５に記載の発明によれば、押え力付与手段が押え板に押え力を付与するとともに、本体係止部との協働作用で、本体をスタンドに起立状態で保持させる機能を有することから、押え力付与手段の作用無しで本体をスタンドにより起立させる場合に比べ、スタンドの構造を簡素化できる。
【００２５】
請求項６に記載の発明によれば、本体の全体が透視部を含めて透明材料にて構成され、前面が平坦面に形成されたことから、この本体は、シンプルでシャープな美観を呈することができる。
【００２６】
請求項９に記載の発明によれば、本体の溝が梨地面に形成されたことから、この溝に係止する押え板と当該溝との摩擦力が増して押え板の滑りを防止できるので、この押え板が本体に対しずれることを確実に防止できる。
【００２７】
請求項１０に記載の発明によれば、押え板には対向する２辺に、本体に係止する係止部が設けられたことから、これらの係止部を押え板の上下方向に位置させたときに、これらの係止部が本体における後面の溝または段差部に係止することで、押え板の本体に対するずれを防止できる。
【００２８】
また、押え板には４辺に、本体に係止する係止部が設けられたことから、本体を９０度または１８０度回転させて立設した場合でも、押え板の上下方向に位置する係止部が本体における後面の溝または段差部に係止することで、押え板の本体に対するずれを防止できる。
【００２９】
請求項１１に記載の発明によれば、押え板には、写真類を位置決めする写真位置決め手段が設けられたことから、写真類を押え板に予め位置決めしておけば、この押え板により写真類を本体の後面に押し当てて当該写真類を写真立てに取り付ける際、及び取り付けた後に、当該写真類の位置ずれが発生しないので、写真類を本体の適切な位置に容易に配置することができる。
【００３０】
請求項１２に記載の発明によれば、シート状部材を押え板の外面で開口を覆う位置に接着することにより、押え板の内面側では、開口にシート状部材の接着面が露出するので、この接着面に写真類の裏面を接着することで、当該写真類を押え板に簡単に位置決めできる。この結果、押え板により写真類を本体の後面に押し当てて当該写真類を写真立てに取り付ける際、及び取り付けた後に、当該写真類の位置ずれが発生せず、写真類を本体の適切な位置に容易に配置することができる。
【発明を実施するための最良の形態】
【００３１】
以下、本発明を実施するための最良の形態を、図面に基づき説明する。
［Ａ］第１の実施の形態（図１〜図１１）
図１は、本発明に係る写真立ての第１の実施の形態を示す斜視図である。図２は、図１の写真立てを示す側断面図である。図３は、図１の写真立てを示す正面図である。図４は、図１の写真立てを示す背面図である。
【００３２】
図１及図２に示すように、写真や絵、カレンダーなどの写真類１を立設して保持する写真立て１０は、透視部１５を備えた本体１１と、この本体１１の透視部１５の後面１７Ａに写真類１を押し当てて保持する押え板１２と、この押え板１２に押え力Ｆを付与する押え力付与手段としての板ばね１３を備えたスタンド１４と、を有して構成される。
【００３３】
上記本体１１は、図３及び図５に示すように、四角形の透視部１５の外側に枠部１８が一体に設けられ、前面１６及び後面１７が平坦面な四角形の厚板形状をなす。そして、この本体１１は、透視部１５及び枠部１８を含めた全体が透明材料、例えばガラス、または透明なアクリル樹脂等の合成樹脂（本実施の形態ではガラス）にて構成される。
【００３４】
更に、本体１１の枠部１８における後面１７Ｂには、透視部１５との境界に、この透視部１５の外周に沿って溝１９が形成されている。この溝１９は、例えばサンドブラスト加工により梨地面（即ちすりガラス状）に形成されている。
【００３５】
尚、本体１１は、透視部１５の大きさが写真類１のサイズによって異なる複数種類が用意されている。つまり、本体１１は、サービスサイズの写真（１２５×８５ｍｍ）、テレカサイズの写真（９０×６０ｍｍ）、またはパノラマサイズの写真（２６０×９５ｍｍ）にそれぞれ相当した大きさの透視部１５を有する、当該透視部１５の大きさが異なった複数種類の本体１１が用意されている。
【００３６】
前記スタンド１４は、図２及び図７に示すように、ベース体２０の前方に前側支持部２１及び後側支持部２２が、後方へ傾斜して立設されている。これらの前側支持部２１と後側支持部２２間の寸法は、本体１１における枠部１８の厚さに相当する。本体１１の枠部１８がスタンド１４の前側支持部２１と後側支持部２２との間に差し込まれることで、本体１１がスタンド１４によって後方に傾斜して立設される。また、前側支持部２１及び後側支持部２２は、本体１１の枠部１８が前側支持部２１と後側支持部２２間に差し込まれたときに、本体１１の透視部１５に至らず枠部１８内に収まる高さに設定される。
【００３７】
また、上記ベース体２０の後方に板ばね１３が、ねじ２３等を用いて着脱可能に取り付けられている。この板ばね１３は、取り付け状態で、図７の矢印Ｒに示すように、スタンド１４に対する垂直軸周りに回転可能に設けられる。そして、この板ばね１３を含めたスタンド１４はステンレス鋼にて構成されて、重厚で安定した質感を呈する。
【００３８】
前記押え板１２は、図６に示すように、本体１１における透視部１５の大きさと略一致する寸法に形成された四角形状を成し、互いに対向する２辺に、係止部としての係止爪２４Ａ及び２４Ｂが一体に設けられ、上記２辺に直交し且つ互いに対向する他の２辺に、係止部としての係止爪２５Ａ及び２５Ｂが一体に設けられる。これらの係止爪２４Ａ、２４Ｂ、２５Ａ及び２５Ｂは、押え板１２の内面２６側に略直角に折り曲げ成形されている。
【００３９】
この押え板１２は、図８に示すように、本体１１の透視部１５の後面１７Ａに写真類１を載置したとき、この写真類１を覆って本体１１の後面１７に配置される。このとき、押え板１２の係止爪２４Ａ、２４Ｂ、２５Ａ、２５Ｂが本体１１の溝１９に位置付けられる。この状態で、図２に示すように、本体１１をスタンド１４の前側支持部２１と後側支持部２２間に差し込んで後方に傾斜して立設したとき、スタンド１４の板ばね１３が押え板１２の外面２７に当接し、この板ばね１３の撓みによる反力が前記押え力Ｆとなって押え板１２に作用する。この押え力Ｆにより押え板１２は写真類１に接触し、当該写真類１を本体１１における透視部１５の後面１７Ａに押し当てて保持する。
【００４０】
この状態では、板ばね１３における係止爪２４Ａ、２４Ｂ、２５Ａ及び２５Ｂのうち、上下方向に位置する係止爪２４Ａ及び２４Ｂのいずれか一方、即ち上方に位置する係止爪２４Ａが本体１１の溝１９に係止して、押え板１２が自重により本体１１からずれ落ちることを防止する。また、このときに、下方に位置する係止爪２４Ｂは、写真類１の下縁を支持して、写真類１が自重により本体１１における透視部１５の後面１７Ａからずれ落ちることを防止する。
【００４１】
また、本体１１を図３の状態から９０度回転させて図９の状態としてスタンド１４により立設したときには、押え板１２の係止爪２４Ａ、２４Ｂ、２５Ａ及び２５Ｂのうち、係止爪２５Ａ及び２５Ｂが押え板１２の上下方向に位置するので、このうち上方に位置付けられる例えば係止爪２５Ａが、本体１１の溝１９に係止して押え板１２の自重によるずれ落ちを防止し、下方に位置する例えば係止爪２５Ｂが写真類１の下縁を支持して、この写真類１の自重によるずれ落ちを防止する。
【００４２】
尚、板ばね１３により押え板１２に作用する押え力Ｆ(図２)が強い場合には、この押え力Ｆにより押え板１２が本体１１に対し上方へ移動する（ずれる）ので、この場合には、下方に位置する例えば係止爪２４Ｂまたは２５Ｂが本体１１の溝１９に係止して、押え板１２の上記上方向へのずれを防止する。
【００４３】
更に、押え板１２には、図６及び図１１に示すように、その略中央位置に開口３０が形成される。この開口３０は、シート状部材としての接着シート２８と共に、写真類１を押え板１２の内面２６に位置決め保持する写真位置決め手段として機能する。つまり、上記接着シート２８を押え板１２の外面２７で開口３０を覆う位置に接着すれば、押え板１２の内面２６側では、開口３０に接着シート２８の接着部２９が露出する。従って、この接着部２９に写真類１の裏面を接着することで、この写真類１が押え板１２の内面２６に位置決め保持されることになる。
【００４４】
これらの開口３０及び接着シート２８は、写真類１のサイズが本体１１の透視部１５の大きさとほぼ等しい場合でも、写真類１を押え板１２に予め位置決め保持することで、押え板１２により写真類１を本体１１における透視部１５の後面１７Ａに押し当てて当該写真類１を写真立て１０に取り付ける際に、写真類１の押え板１２からの位置ずれを防止できる。
【００４５】
更に、これらの開口３０及び接着シート２８は、図１０に示すように、写真類１のサイズが本体１１の透視部１５の大きさよりも小さい場合に、写真類１を押え板１２に位置決め保持することで、押え板１０により写真類１を本体１１における透視部１５の後面１７Ａに押し当てて当該写真類１を写真立て１０に取り付ける際、及び取り付けた後に、この写真類１の押え板１２からの位置ずれを防止できる。
【００４６】
以上のように構成されたことから、上記実施の形態によれば、次の効果（１）〜（６）を奏する。
（１）スタンド１４の板ばね１３が押え板１２に押え力Ｆを作用することにより、この押え板１２が写真類１を本体１１の透視部１５の後面１７Ａに押し当てて保持することから、当該写真類１を本体１１の所望位置に適切に保持できる。
【００４７】
（２）スタンド１４の板ばね１３が押え板１２に作用する押え力Ｆの解除により、写真類１は本体１１の透視部１５の後面１７Ａに押し当てられなくなり、この後面１７Ａから離れるので、板ばね１３による押え力Ｆの付与または解除によって、写真立て１０に対する写真類１の取替えを容易に実施でき、しかも、本体１１と押え板１２間にたまった塵埃も容易に除去できる。
【００４８】
（３）本体１１の全体が透視部１５及び枠部１８を含めて透明材料にて構成され、前面１６が平坦面に形成されたことから、この本体１１はシンプルでシャープな美観を呈することができる。
【００４９】
（４）押え板１２には４辺に、本体１１に係止する係止爪２４Ａ、２４Ｂ、２５Ａ、２５Ｂが設けられたことから、本体１１を９０度または１８０度回転させて立設した場合でも、押え板１２の上下方向に位置する係止爪２４Ａ、２４Ｂ、２５Ａ、２５Ｂが本体１１における枠部１８の後面１７Ｂの溝１９に係止することで、押え板１２の本体１１に対するずれを防止できる。
【００５０】
（５）本体１１の溝１９が梨地面（すりガラス状）に形成されたことから、この溝１９に係止する押え板１２の係止爪２４Ａ、２４Ｂ、２５Ａ、２５Ｂと当該溝１９との摩擦力が増して押え板１２の滑りを防止できるので、この押え板１２が本体１１に対しずれることを確実に防止できる。
【００５１】
（６）接着シート２８を押え板１２の外面２７で開口３０を覆う位置に接着することにより、押え板１２の内面２６側では、開口３０に接着シート２８の接着面２９が露出するので、この接着面２９に写真類１の裏面を接着することで、当該写真類１を押え板１２に簡単に位置決めできる。この結果、押え板１２により写真類１を本体１１の透視部１５における後面１７Ａに押し当てて当該写真類１を写真立て１０に取り付ける際、及び取り付けた後に、当該写真類１の位置ずれが発生せず、写真類１を本体１１の適切な位置に容易に配置することができる。
【００５２】
［Ｂ］第２の実施の形態（図１２）
図１２は、本発明に係る写真立ての第２の実施の形態を示し、（Ａ）がその本体の背面図であり、（Ｂ）が本体に押え板を用いて写真類を取り付けるときの分解側面図である。この第２の実施の形態において、上記第１の実施の形態と同様な部分は、同一の符号を付すことにより説明を省略する。
【００５３】
この第２の実施の形態の写真立てが第１の実施の形態の写真立てと異なる点は、本体４１の枠部４２の形状である。つまり、この枠部４２は、その後面１７Ｂが透視部１５の後面１７Ａよりも低い位置に形成されて、透視部１５の後面１７Ａが枠部１８の後面１７Ｂに対し凸形状に構成されている。そして、透視部１５の後面１７Ａに写真類１を押し当てる押え板１２の係止爪２４Ａ、２４Ｂ、２５Ａ、２５Ｂのうち、押え板１２の上下方向に位置する係止爪は、後面１７Ａと後面１７Ｂとの段差部４３に係止されて、押え板１２の本体１１に対するずれが防止される。
【００５４】
従って、上記第２の実施の形態においても、前記第１の実施の形態の効果（１）、（２）、（３）及び（６）と同様な効果を奏するほか、次の効果（７）を奏する。
（７）本体４１の透視部１５の後面１７Ａが枠部４２の後面１７Ｂに比べて凸形状に形成され、この凸形状の後面１７Ａにより本体１１の後面１７に形成された段差部４３に押え板１２の係止爪２４Ａ、２４Ｂ、２５Ａ、２５Ｂが係止されることから、この係止によって押え板１２の本体１１に対するずれを防止できる。
【００５５】
［Ｃ］第３の実施の形態（図１３）
図１３は、本発明に係る写真立ての第３の実施の形態を示し、（Ａ）がその本体の背面図、（Ｂ）が本体に押え板を用いて写真類を取り付けるときの分解側面図である。この第３の実施の形態において、上記第１の実施の形態と同様な部分は、同一の符号を付すことにより説明を省略する。
【００５６】
この第３の実施の形態の写真立てが第１の実施の形態と異なる点は、本体５１の透視部５２の形状である。つまり、この透視部５２は、その後面１７Ａが枠部１８の後面１７Ｂよりも低い位置に形成されて、透視部５２の後面１７Ａが枠部１８の後面１７Ｂに対し凹形状に構成されている。そして、透視部５２の後面１７Ａに写真類１を押し当てる押え板１２の係止爪２４Ａ、２４Ｂ、２５Ａ、２５Ｂのうち、押え板１２の上下方向に位置する係止爪は、後面１７Ａと後面１７Ｂとの段差部５３に係止されて、押え板１２の本体１５に対するずれが防止される。
【００５７】
従って、この第３の実施の形態においても、前記第１の実施の形態の効果（１）、（２）、（３）及び（６）と同様な効果を奏するほか、次の効果（８）を奏する。
（８）本体５１の透視部５２の後面１７Ａが枠部１８の後面１７Ｂに比べて凹形状に形成され、この凹形状の後面１７Ａにより本体１１の後面１７に形成された段差部５３に押え板１２の係止爪２４Ａ、２４Ｂ、２５Ａ、２５Ｂが係止されることから、この係止によって押え板１２の本体１１に対するずれを防止できる。
【００５８】
以上、本発明を上記実施の形態に基づいて説明したが、本発明はこれに限定されるものではない。
例えば、上記実施の形態では、押え板１２の４辺に係止爪２４Ａ、２４Ｂ、２５Ａ、２５Ｂが形成されたものを述べたが、この係止爪は、押え板１２の対向する２辺にのみ形成されてもよい。
【００５９】
また、押え板１２には開口３０が設けられたものを述べたが、この開口３０が設けられず、押え板１２の内面２６に両面テープを接着し、この両面テープを写真位置決め手段としてもよい。
【００６０】
更に、上記実施の形態では、本体１１の枠部１８が透視部１５と同様な透明材料から成り、しかも枠部１８及び透視部１５が一体に設けられたものを述べた。しかしながら、これらの透視部１５と枠部１８とが別体で、透視部１５のみが透明材料から成り、枠部１８が大理石、樹脂または木などの不透明材料から構成され、この枠部１８と透視部１５とが嵌め込みまたは接着により結合されたものでもよい。
【００６１】
また、スタンド１４に後側支持部２２が設けられず、前側支持部２１が、本体１１を係止する本体係止部となり、この本体係止部と板ばね１３とにより、本体１１を後方へ傾斜して起立状態で保持するものでもよい。この場合には、板ばね１３が押え板１２に押え力Fを付与するとともに、本体係止部(２１)との協働作用で、本体１１をスタンド１４に起立状態で保持させる機能を有することから、板ばね１３の作用なしで、前側支持部２１及び後側支持部２２により本体１１をスタンド１４に起立状態で保持させる場合に比べ、スタンド１４の構造を簡素化できる。
【図面の簡単な説明】
【００６２】
【図１】本発明に係る写真立ての第１の実施の形態を示す斜視図である。
【図２】図１の写真立てを示す側断面図である。
【図３】図１の写真立てを示す正面図である。
【図４】図１の写真立てを示す背面図である。
【図５】図１の本体を示し、（Ａ）が前面を上方に向けたときの斜視図、（Ｂ）が後面を上方に向けたときの斜視図である。
【図６】図１の押え板を示す斜視図である。
【図７】図１のスタンドを示す斜視図である。
【図８】図１の本体に押え板を用いて写真類を取り付けるときの分解側面図である。
【図９】図１の本体を９０度回転して立設したときの写真立てを示す正面図である。
【図１０】小さいサイズの写真類を取り付けたときの写真立てを示す正面図である。
【図１１】（Ａ）は、図１０の小さいサイズの写真類を取り付けるときの押え板等を示す斜視図であり、（Ｂ）は、図１１（Ａ）の押え板に写真類を位置決めするときの斜視図である。
【図１２】本発明に係る写真立ての第２の実施の形態を示し、（Ａ）がその本体の背面図であり、（Ｂ）が本体に押え板を用いて写真類を取り付けるときの分解側面図である。
【図１３】本発明に係る写真立ての第３の実施の形態を示し、（Ａ）がその本体の背面図、（Ｂ）が本体に押え板を用いて写真類を取り付けるときの分解側面図である。
【符号の説明】
【００６３】
１  写真類
１０  写真立て
１１  本体
１２  押え板
１３  板ばね（押え力付与手段）
１５  透視部
１６  本体の前面
１７  本体の後面
１９  溝
１７Ａ  透視部の後面
２４Ａ、２４Ｂ  係止爪
２５Ａ、２５Ｂ  係止爪
２８  接着シート（写真位置決め手段）
３０  開口（写真位置決め手段）
４１  本体
４２  枠部
４３  段差部
５１  本体
５２  透視部
５３  段差部
Ｆ  押え力
【図１】
2005261727.tif 000003
【図２】
2005261727.tif 000004
【図３】
2005261727.tif 000005
【図４】
2005261727.tif 000006
【図５】
2005261727.tif 000007
【図６】
2005261727.tif 000008
【図７】
2005261727.tif 000009
【図８】
2005261727.tif 000010
【図９】
2005261727.tif 000011
【図１０】
2005261727.tif 000012
【図１１】
2005261727.tif 000013
【図１２】
2005261727.tif 000014
【図１３】
2005261727.tif 000015